(57)【要約】【課題】本発明が解決しようとする課題は、顧客の状況に合わせた適正な付加情報を、電子レシートとともに送信可能な電子レシート管理サーバおよびプログラムを提供することである。【解決手段】実施形態の電子レシート管理サーバは、商品の販売に係るレシート情報を電子化した電子レシート情報を記憶する電子レシート情報記憶手段と、前記電子レシート情報に対する付加情報を顧客が携帯する携帯端末への配信条件に対応して複数記憶する付加情報記憶手段と、前記複数の付加情報から前記携帯端末への配信条件を満たす前記付加情報を前記電子レシート情報とともに前記携帯端末に送信する送信手段と、を備える。【選択図】図１１
2015225532.tif 000002
【特許請求の範囲】
【請求項１】
商品の販売に係るレシート情報を電子化した電子レシート情報を記憶する電子レシート情報記憶手段と、
前記電子レシート情報に対する付加情報を顧客が携帯する携帯端末への配信条件に対応して複数記憶する付加情報記憶手段と、
前記複数の付加情報から前記携帯端末への配信条件を満たす前記付加情報を前記電子レシート情報とともに前記携帯端末に送信する送信手段と、
を備えた電子レシート管理サーバ。
【請求項２】
外部から受信したＧＰＳ情報に基づいて前記携帯端末の存在位置を特定する位置特定手段をさらに備え、
前記送信手段は、前記位置特定手段が特定した前記携帯端末の存在位置によって満たされる配信条件に対応した前記付加情報を送信する、
請求項１に記載の電子レシート管理サーバ。
【請求項３】
前記位置特定手段が前記携帯端末が前記商品を購入した店舗内に位置していることを特定した場合に、前記送信手段は前記店舗で販売する商品に係る前記付加情報を送信する、
請求項２に記載の電子レシート管理サーバ。
【請求項４】
前記位置特定手段が前記携帯端末が前記商品を購入した店舗外の他店舗付近に位置していることを特定した場合に、前記送信手段は前記他店舗で販売する商品に係る前記付加情報を送信する、
請求項２に記載の電子レシート管理サーバ。
【請求項５】
前記位置特定手段が前記携帯端末が前記商品を購入した店舗外に位置していることを特定した場合に、前記送信手段は前記顧客の過去の購入履歴に係る前記付加情報を送信する、
請求項２に記載の電子レシート管理サーバ。
【請求項６】
コンピュータを、
商品の販売に係るレシート情報を電子化した電子レシート情報を記憶する電子レシート情報記憶手段と、
前記電子レシート情報に対する付加情報を顧客が携帯する携帯端末への配信条件に対応して複数記憶する付加情報記憶手段と、
前記複数の付加情報から前記携帯端末への配信条件を満たす前記付加情報を前記電子レシート情報とともに前記携帯端末に送信する送信手段と、
して機能させるためのプログラム。
【発明の詳細な説明】
【技術分野】
【０００１】
本発明の実施形態は、電子レシート管理サーバおよびプログラムに関する。
【背景技術】
【０００２】
近年、商品決済時に店舗から買物をした顧客に渡されるレシートあるいは領収書を電子化しサーバから顧客の携帯端末等に送信する電子レシートという仕組みが知られている。
【０００３】
このようにレシートを電子データにすることによって、例えば、顧客は自身が携帯する携帯端末の表示部で電子レシートを閲覧することができる。また、家計簿も電子的かつ自動的に簿記ができるなど顧客にとって有益である。また、電子レシートを導入することにより、レシート用紙の消費を減らすことができるため、導入店舗にとっても有益である。店舗は、携帯端末等の媒体で顧客を特定し、特定した顧客に対して電子レシート情報を送信している。
【０００４】
ところで、店舗の販売促進活動として、サーバから顧客の携帯端末に対して電子レシートを送信する際、同時に例えば店舗で使用可能なクーポン情報等の付加情報を送信する仕組みが実現されている。
【０００５】
しかしながら、従来は、顧客に配信する付加情報は定められたものであり、顧客にとって適正な情報ではないことがあった。
【発明の概要】
【発明が解決しようとする課題】
【０００６】
本発明が解決しようとする課題は、顧客の状況に合わせた適正な付加情報を、電子レシートとともに送信可能な電子レシート管理サーバおよびプログラムを提供することである。
【課題を解決するための手段】
【０００７】
実施形態の電子レシート管理サーバは、商品の販売に係るレシート情報を電子化した電子レシート情報を記憶する電子レシート情報記憶手段と、前記電子レシート情報に対する付加情報を顧客が携帯する携帯端末への配信条件に対応して複数記憶する付加情報記憶手段と、前記複数の付加情報から前記携帯端末への配信条件を満たす前記付加情報を前記電子レシート情報とともに前記携帯端末に送信する送信手段と、を備える。
【０００８】
実施形態のプログラムは、コンピュータを、商品の販売に係るレシート情報を電子化した電子レシート情報を記憶する電子レシート情報記憶手段と、前記電子レシート情報に対する付加情報を顧客が携帯する携帯端末への配信条件に対応して複数記憶する付加情報記憶手段と、前記複数の付加情報から前記携帯端末への配信条件を満たす前記付加情報を前記電子レシート情報とともに前記携帯端末に送信する送信手段と、して機能させる。
【図面の簡単な説明】
【０００９】
【図１】図１は、実施形態にかかる電子レシートシステムの構成全体を示す構成図である。
【図２】図２は、ＰＯＳ端末の要部構成を示すブロック図である。
【図３】図３は、電子レシートサーバの要部構成を示すブロック図である。
【図４】図４は、電子レシート管理サーバの要部構成を示すブロック図である。
【図５】図５は、電子レシート管理サーバの記憶部の一部を示すメモリマップである。
【図６】図６は、電子レシート管理サーバの記憶部の一部を示すメモリマップである。
【図７】図７は、携帯端末の要部構成を示すブロック図である。
【図８】図８は、ＰＯＳ端末における制御処理の流れを示すフローチャートである。
【図９】図９は、電子レシートサーバにおける制御処理の流れを示すフローチャートである。
【図１０】図１０は、電子レシート管理サーバの機能構成を示す機能ブロック図である。
【図１１】図１１は、電子レシート管理サーバ制御処理の流れを示すフローチャートである。
【図１２】図１２は、携帯端末の制御処理にかかる機能ブロック図である。
【図１３】図１３は、携帯端末の表示画面の一例を示す図である。
【発明を実施するための形態】
【００１０】
以下、本実施の一形態を図面に基づいて説明する。なお、以下に説明する実施形態によりこの発明が限定されるものではない。
【００１１】
図１は、実施形態にかかる電子レシートシステムの構成全体を示す構成図である。図１に示すように、電子レシートシステムは、ＰＯＳ（Point  of  Sales）端末１と、ストアサーバ２と、電子レシートサーバ３と、電子レシート管理サーバ４と、顧客が携帯し、顧客を特定するための携帯端末７とを有する。
【００１２】
ＰＯＳ端末１とストアサーバ２とは、店舗Ｐ１内に設けられる。ＰＯＳ端末１とストアサーバ２とは、ＬＡＮ（Local  Area  Network）等の店舗内ネットワークＮ１を介して通信可能に接続される。また、ＰＯＳ端末１及びストアサーバ２は、店舗内ネットワークＮ１に接続されたルータ等のネットワーク機器（図示せず）を介して、店舗Ｐ１と本部Ｐ２とを繋ぐネットワークＮ２に接続することが可能である。ここで、ネットワークＮ２は、例えば、インターネットやＶＰＮ（Virtual  Private  Network）等の専用線である。
【００１３】
ＰＯＳ端末１は、商品販売データ処理を実行する商品販売データ処理装置である。ＰＯＳ端末１は、決済対象の商品の取引内容を含むレシート情報（非構造化形式）を生成し、当該レシート情報を後述する印字部１３で印字することで紙レシートを出力する。また、ＰＯＳ端末１は、レシート情報のデータ形式を構造化形式に変換して電子レシート情報を生成し、生成した電子レシート情報をネットワークＮ２を介して電子レシートサーバ３に出力（送信）する。電子レシート情報の送信方法は特に問わず、ＨＴＴＰやＨＴＴＰＳ等の汎用プロトコルを用いてもよい。なお、店舗Ｐ１に設けられるＰＯＳ端末１の個数は特に問わず、複数台であってもよい。
【００１４】
ストアサーバ２は、ＰＯＳ端末１で行われる商品販売データ処理等の管理を統括的に行う。例えば、ストアサーバ２は、ＰＯＳ端末１の商品販売データ処理で生成された商品販売データを収集して記憶・管理したり、商品販売データ処理に用いる商品データファイル等を記憶・管理する。
【００１５】
また、ストアサーバ２は、店舗Ｐ１で販売される特売商品や新商品等の、店舗として販売の宣伝をしたい商品等の情報、またこれらの商品に対して使用可能なクーポンの情報等（これらの情報を総称して「付加情報」という）を、ネットワークＮ２を介して電子レシートサーバ３に送信する。なお、ＰＯＳ端末１が付加情報を電子レシートサーバ３に送信してもよい。
【００１６】
なお、本実施形態では、ＰＯＳ端末１がレシート情報を変換して電子レシート情報を生成し、出力する構成として説明するが、これに限らず、ＰＯＳ端末１で生成されたレシート情報を、ストアサーバ２や図示しない変換装置がデータ形式を変換して生成し、生成した電子レシート情報を電子レシートサーバ３に出力する構成としてもよい。
【００１７】
電子レシートサーバ３は、店舗またはチェーン店舗（以下、店舗という）を運営する企業の本部Ｐ２に設けられており、店舗を運営する企業毎のレシート情報を管理する企業用のレシート管理サーバとして機能する。
【００１８】
また、電子レシートサーバ３は、ＰＯＳ端末１から送信された電子レシート情報を、ネットワークＮ２を介して受信する。また、電子レシートサーバ３は、受信した電子レシート情報を、本部Ｐ２と電子レシートセンターＰ３とを繋ぐネットワークＮ３を介して、電子レシート管理サーバ４に送信する。
【００１９】
また、電子レシートサーバ３は、ＰＯＳ端末１またはストアサーバ２から送信された付加情報を、ネットワークＮ２を介して受信する。また、電子レシートサーバ３は、受信した付加情報を、本部Ｐ２と電子レシートセンターＰ３とを繋ぐネットワークＮ３を介して、電子レシート管理サーバ４に送信する。
【００２０】
ここで、ネットワークＮ３は、例えば、インターネットやＶＰＮ等の専用線である。また、電子レシート情報の送信方法は特に問わず、ＨＴＴＰやＨＴＴＰＳ等の汎用プロトコルを用いてもよい。
【００２１】
電子レシート管理サーバ４は、電子レシートセンターＰ３に設けられる。電子レシートセンターＰ３は、例えば、電子レシートサーバ３でレシート情報を管理する各企業の電子レシート情報の管理を行う、当該企業以外の第三者機関である。なお、電子レシートサーバ３についても第三者機関等が管理してもよい。
【００２２】
電子レシート管理サーバ４は、店舗を運営する各種企業の電子レシート情報を一括に管理する顧客用レシート管理サーバとして機能する。電子レシート管理サーバ４は、後述する手順等により会員登録を行った各顧客（会員）の氏名や顧客コードである会員コード、携帯端末７を特定するための固有の端末コード、電子レシート情報の送信先となる携帯端末７の送信先情報（例えばメールアドレス）等の会員データを、データベースＤＢに保持された会員マスタに記憶・管理する。なお、電子レシート管理サーバ４とは別に、会員データの記憶・管理を行う会員管理サーバ等を設ける構成としてもよい。
【００２３】
また、電子レシート管理サーバ４は、電子レシートサーバ３から送信された電子レシート情報を、ネットワークＮ３を介して受信し、この電子レシート情報をデータベースＤＢに保持された後述する電子レシート管理領域４３ａに記憶・管理する（図４を参照）。より詳細には、電子レシート情報は、商品の取引内容（商品販売データ）の他、電子レシート情報を送信する店舗の店舗情報や会員コード等の要素を含み、対応する会員の会員データと対応付けて管理される。
【００２４】
また、電子レシート管理サーバ４は、データベースＤＢに電子レシート情報を記憶すると、この電子レシート情報の会員コードに対応付けされた送信先情報を参照することで、送信先（携帯端末７）を特定する。そして、電子レシート管理サーバ４は、後述するネットワークＮ５を介して、送信する電子レシート情報があることをその送信先に通知する。
【００２５】
また、電子レシート管理サーバ４は、後述するネットワークＮ５を介して接続される携帯端末７から、会員コードを指定する電子レシート照会を受け付けると、当該会員コードに対応する電子レシート情報をデータベースＤＢから抽出し、携帯端末７に送信する。なお、電子レシート情報に付加情報が対応付けされている場合、この付加情報についても照会があった携帯端末７に送信する。
【００２６】
携帯端末７は、本システムの利用者（顧客）が携帯して使用する、例えばスマートフォン、携帯電話機、ＰＤＡ（Personal  Digital  Assistant）、タブレット型コンピュータ等の端末装置である。携帯端末７は、ネットワークＮ５上で提供される各種情報を閲覧するためのＷｅｂブラウザ等のアプリケーションを実装する。
【００２７】
携帯端末７は、ネットワークＮ５を介して電子レシート管理サーバ４にアクセスすることで、本システムへの会員登録を行う。ここで、ネットワークＮ５は、インターネットや、各種公衆網である。
【００２８】
携帯端末７は、周知のＧＰＳ（Global  Positioning  System）部７７（図７を参照）を備えており、ＧＰＳ部７７は地球を周回する複数のＧＰＳ衛星８から発信された信号をキャッチされることで携帯端末７の位置を特定することができる。携帯端末７は、ＧＰＳ部７７が特定した携帯端末７の位置情報を、ネットワークＮ５を介して定期的（例えば１秒毎）に電子レシート管理サーバ４に送信する。
【００２９】
ところで、本システムでの顧客の会員登録は、例えば次のような手順で行われる。顧客は、携帯端末７からネットワークＮ５を介して電子レシート管理サーバ４に対して空メールを送信する。電子レシート管理サーバ４は、受信したメールアドレスに会員登録のためのページを示すＵＲＬ（Uniform  Resource  Locator）を送信する。顧客は、携帯端末７から会員登録のためのページを示すＵＲＬにアクセスして会員登録に必要な事項（氏名、送信先情報等）を入力させる入力画面を表示させる。顧客による必要事項の入力終了後、電子レシート管理サーバ４は、会員マスタに対する会員登録を実行する。その後、電子レシート管理サーバ４は、携帯端末７に対して会員コード（顧客コード）及びパスワードを含む会員登録完了メールを配信する。これにより、会員登録が終了する。
【００３０】
また、携帯端末７は、ＰＯＳ端末１での決済（取引）後、電子レシート管理サーバ４において電子レシート情報を送信可能であることを示す通知を、電子レシート管理サーバ４からネットワークＮ５を介して受信する。会員が、携帯端末７を操作して、電子レシート情報の照会情報をネットワークＮ５を介して電子レシート管理サーバ４に送信することで、当該会員の電子レシート情報および付加情報を電子レシート管理サーバ４から受信する。また、携帯端末７は、受信した電子レシート情報および付加情報を表示する。
【００３１】
係る構成の電子レシートシステムにおいては、店舗Ｐ１のＰＯＳ端末１で商品販売データ処理が行なわれて生成された取引（決済）の内容を示す電子レシート情報が、電子レシートサーバ３を介して電子レシート管理サーバ４に伝送され、Ｗｅｂ上に公開される。したがって、Ｗｅｂブラウザを実装してなる携帯端末７は、ＵＲＬ（Uniform  Resource  Locator）を指定することにより、Ｗｅｂ上に公開されたレシート情報を携帯端末７にダウンロードしてＷｅｂブラウザで閲覧することができる。なお、携帯端末７にレシート情報を閲覧するためのアプリケーションをインストールして閲覧するようにしてもよい。
【００３２】
次に、図２〜図７を用いて、本実施形態の電子レシートシステムを構築する主要な装置のハードウェア構成について説明する。
【００３３】
まず、商品販売データ処理装置であるＰＯＳ端末１について説明する。図２は、ＰＯＳ端末１の構成を示すブロック図である。図２に示すように、ＰＯＳ端末１は、各種演算やＰＯＳ端末１の各部を統括的に制御する制御部１１を備えている。制御部１１は、ＣＰＵ（Central  Processing  Unit）、各種プログラムやデータを記憶するＲＯＭ（Read  Only  Memory）、各種プログラムを一時的に記憶したり各種データを書き換え自在に記憶するＲＡＭ（Random  Access  Memory）、現在の日時を計時するＲＴＣ（Real  Time  Clock）部等によって構成されるコンピュータである。
【００３４】
制御部１１は、バス１８を介して操作部１２、印字部１３、表示部１４、コード読取部１５、通信Ｉ／Ｆ１６、および記憶部１７に接続されている。
【００３５】
操作部１２は、オペレータが操作入力を行うための各種の操作キーを有している。操作キーとしては、例えば、数値を入力するための置数キー、所定の項目を選択するためのカーソルキーや選択決定キー、一取引の決済処理を実行させ、当該取引を終了させるための締めキー１２１等が設けられている。
【００３６】
印字部１３は、レシートやジャーナル等の印字を行うプリンタ装置で構成される。印字部１３は、例えば発熱媒体を有するサーマルヘッドで搬送されるロール用紙に、購入した商品の商品情報や決済処理にともなう決済情報等を含むレシート情報の印字を行い、その後用紙をカットしてレシートを発行する。
【００３７】
表示部１４は、例えば液晶ディスプレイ等であり、販売登録された商品の品名、価格、決済が宣言された一取引の合計金額、釣銭額等の各種情報を表示する。表示部１４は、キャッシャ向けに各種情報を表示するオペレータ用ディスプレイ１４ａと、顧客向けに各種情報を表示する客用ディスプレイ１４ｂとを備える。なお、表示部１４をタッチパネル構成としてもよく、この場合、タッチパネルは操作部１２として機能する。
【００３８】
コード読取部１５は、例えばバーコードや二次元コード等のコードシンボルを光学的に読み取るスキャナ装置である。コード読取部１５は、例えば、商品に付されたコードシンボルや、携帯端末７の表示部に表示されたコードシンボル等を読み取り、制御部１１は、読み取った当該コードシンボルに保持された情報を入力する。なお、商品に付されたコードシンボルには、その商品を特定するための商品コード等が保持されているとする。また、携帯端末７に表示されるコードシンボルには、その携帯端末７を携帯する顧客を特定するための会員コード（顧客コード）等が保持されているとする。なお、会員コードは、携帯端末７に磁気的あるいは電気的に記憶されていてもよい。この場合、記憶されている会員コードを、専用の読取装置で読み取る。制御部１１は、読み取った会員コードを入力する。
【００３９】
また、制御部１１は、バス１８を介して通信Ｉ／Ｆ（インターフェース）１６に接続されており、この通信Ｉ／Ｆ１６を介して店舗内ネットワークＮ１やネットワークＮ２に接続することが可能となっている。
【００４０】
また、制御部１１は、バス１８を介して、記憶部１７に接続されている。記憶部１７は、例えばＨＤＤ（Hard  Disk  Drive）やＳＳＤ（Solid  State  Drive）等の補助記憶装置である。記憶部１７は、商品販売データ処理を含む各種のＰＯＳ業務を実行するための制御プログラム１７ａを記憶する。制御プログラム１７ａに基づいて、制御部１１は、商品販売データ処理やレシート情報に係る処理を実行する。記憶部１７は、各商品の商品名、商品コード及び単価等の商品データを格納した商品データファイル等の商品販売データ処理に係る各種データファイルを記憶する。
【００４１】
また、記憶部１７は、レシート情報から電子レシート情報を生成するための電子レシート生成プログラム１７ｂを記憶する。制御部１１は、電子レシート生成プログラム１７ｂを駆動させて、レシート情報スキーマ（図示せず）に記述された変換規則に基づいて、非構造化形式のレシート情報を構造化形式の電子レシート情報に変換する。このようにして、制御部１１は、レシート情報から電子レシート情報を生成する。
【００４２】
また、記憶部１７は、自己のＰＯＳ端末１を他のＰＯＳ端末１と識別するためのＰＯＳナンバー、企業コード（店舗を運営する企業の識別コード）、業種・業態コード、当該ＰＯＳ端末１が設置される店舗Ｐ１を示す店舗コード等を記憶する。ここで、業種・業態コードは、例えば、コンビニエンスストア、スーパーマーケット、百貨店、薬局、レストラン、飲食店などとして、店舗の業種・業態を区別するコード（分類コード）である。なお、このような業種・業態は、ユーザの好みによって任意に変更可能である。また、企業コード（店舗を運営する企業の識別コード）、業種・業態コードについては、電子レシートサーバ３に登録されていてもよい。
【００４３】
次に、企業用のレシート管理サーバとして機能する電子レシートサーバ３のハードウェア構成を、図３のブロック図を用いて説明する。図３において、電子レシートサーバ３は、各種演算や電子レシートサーバ３の各部を統括的に制御する制御部３１を備えている。制御部３１は、ＣＰＵ、各種プログラムやデータを記憶するＲＯＭ、各種プログラムを一時的に記憶したり各種データを書き換え自在に記憶するＲＡＭ、現在の日時を計時するＲＴＣ部等によって構成されるコンピュータである。
【００４４】
制御部３１は、バス３４に接続された通信Ｉ／Ｆ３２を介して、ネットワークＮ２やネットワークＮ３に接続することが可能となっている。また、制御部３１は、バス３４を介して記憶部３３に接続されている。
【００４５】
記憶部３３は、店舗を運営する企業毎の電子レシート情報を電子レシート管理領域３３ａに記憶する。電子レシート情報は、企業コード（店舗を運営する企業の識別コード）、業種・業態コード、店舗コード、買物客の会員コード、ＰＯＳ端末１のＰＯＳナンバー、レシートナンバー、商品販売データなどを含む。また、記憶部３３は、電子レシート情報を電子レシート管理領域３３ａで管理するための制御プログラム３３ｂを記憶する。また、記憶部３３は、ストアサーバ２またはＰＯＳ端末１またはストアサーバ２から受信した付加情報を記憶する付加情報記憶部３３ｃを備えている。
【００４６】
次に、顧客用レシート管理サーバとして機能する電子レシート管理サーバ４のハードウェア構成を、図４のブロック図を用いて説明する。図４において、電子レシート管理サーバ４は、各種演算や電子レシート管理サーバ４の各部を統括的に制御する制御部４１を備えている。制御部４１は、ＣＰＵ、各種プログラムやデータを記憶するＲＯＭ、各種プログラムを一時的に記憶したり各種データを書き換え自在に記憶するＲＡＭ、現在の日時を計時するＲＴＣ部等によって構成されるコンピュータである。
【００４７】
制御部４１は、バス４４に接続された通信Ｉ／Ｆ４２を介して、ネットワークＮ３、ネットワークＮ４及びネットワークＮ５に接続することが可能となっている。また、制御部４１は、バス４４を介して、記憶部４３に接続されている。
【００４８】
記憶部４３には、電子レシート管理領域４３ａ、付加情報記憶領域４３ｂ、顧客管理領域４３ｄが設けられている。また記憶部４３には、制御プログラム４３ｃが記憶されている。電子レシート管理領域４３ａは、電子レシートサーバ３から受信した、店舗を運営する各種企業の電子レシート情報を会員毎に管理する。
【００４９】
電子レシートは、会員コード、企業コード（店舗を運営する企業の識別コード）、店舗コード、ＰＯＳ端末１のＰＯＳナンバー、レシートナンバー、商品販売データ（日時データを含む）などを含んでいる。したがって、例えば消費財メーカー等は、当該メーカーに関連する一意な購入商品の証明情報を、この電子レシート情報から特定条件の下（例えば、店舗を運営する特定の企業限定、特定の地域限定、特定の時間限定等）に取得することが可能になる。なお、消費財メーカーは、食料品、飲料、衣類、化粧品、薬品、生活雑貨などのメーカーである。
【００５０】
また、記憶部４３は、所望の商品（商品コード）、会員（会員コード）、企業（企業コード）、店舗（店舗コード）に対応付けて各種の付加情報を、電子レシートサーバ３から受信して付加情報記憶領域４３ｂに記憶する。ここで、付加情報とは、例えば、特売商品の商品情報および特定商品や他の商品のクーポン情報等をいう。付加情報は、特定条件（例えば、店舗を運営する特定の企業、特定の地域、特定の店舗、特定の時間等）に対応付けられるキャンペーンに対応して設けられている。付加情報記憶領域４３ｂには、電子レシートセンターＰ３が管轄するすべての店舗で設けられた付加情報を、店舗を特定する店舗コードで特定される店舗毎に記憶している。
【００５１】
また、記憶部４３は、電子レシート管理領域４３ａおよび付加情報記憶領域４３ｂ等の制御を行うための制御プログラム４３ｃを記憶する。また、記憶部４３は、携帯端末７の携帯者である顧客を管理するための顧客管理領域４３ｄを記憶する。顧客管理領域４３ｄには、顧客を特定する顧客ＩＤに対応して、種々の顧客情報、および顧客が携帯する携帯端末７を特定する端末コード（後述するＳＲＩＤ）を記憶する。顧客ＩＤとＳＲＩＤとは互いに対応付けて記憶されている。
【００５２】
次に、図５を用いて、付加情報を記憶する付加情報記憶領域４３ｂについて説明する。図５において、付加情報記憶領域４３ｂは、店舗部４３ｂ１、特売情報部４３ｂ２、新商品情報部４３ｂ３、クーポン情報部４３ｂ４を備える。
【００５３】
店舗部４３ｂ１は、付加情報記憶領域４３ｂが付加情報を記憶するすべての店舗の、個々の店舗を特定する店舗コードおよび店舗名を、店舗別に記憶する。特売情報部４３ｂ２は、各店舗で実施されている特売商品の特売商品情報や特売期間情報等を、店舗部４３ｂ１に記憶された店舗コード毎に記憶する。新商品情報部４３ｂ３は、各店舗で実施されている新商品の新商品情報を、店舗部４３ｂ１に記憶された店舗コード毎に記憶する。クーポン情報部４３ｂ４は、特売情報部４３ｂ２に記憶された特売商品情報や、新商品情報部４３ｂ３に記憶された新商品情報に対応して設定されているクーポン情報を、店舗部４３ｂ１に記憶された店舗コード毎に記憶する。クーポン情報は、特売商品情報または新商品情報に対応付けて記憶されており、特売商品または新商品が特定されると、対応したクーポン情報を特定できる。
【００５４】
次に、図６を用いて、電子レシート管理領域４３ａについて説明する。図６において、電子レシート管理領域４３ａは、取引において生成した電子レシート情報を取引毎に記憶する。電子レシート管理領域４３ａは、電子レシートを送信する携帯端末７を特定する端末コードである電子レシートＩＤ（以降「ＳＲＩＤ」という）を記憶するＳＲＩＤ部４３ａ１、店舗コード部４３ａ２、電子レシート情報部４３ａ３を備えている。ＳＲＩＤ部４３ａ１は、ＰＯＳ端末１のコード読取部１５によって読み取られたＳＲＩＤを記憶する。店舗コード部４３ａ２は、電子レシート情報が生成されたＰＯＳ端末１が設置された店舗Ｐ１を特定する店舗コードを、ＳＲＩＤ毎に記憶する。電子レシート情報部４３ａ３は、一取引分のレシート情報を電子レシート化した電子レシート情報を、取引毎にＳＲＩＤに対応して記憶する。なお、図６は、ある一つの取引における電子レシート情報を示すものである。
【００５５】
次に、図７のブロック図を用いて、携帯端末７について説明する。図７において、携帯端末７は、各種演算や携帯端末７の各部を統括的に制御する制御部７１を備えている。制御部７１は、ＣＰＵ、各種プログラムやデータを記憶するＲＯＭ、各種プログラムを一時的に記憶したり各種データを書き換え自在に記憶するＲＡＭ、現在の日時を計時するＲＴＣ部等によって構成されるコンピュータである。
【００５６】
操作部７２は、バス７６を介して表示部７３に接続されている。操作部７２は、操作者（顧客）が操作入力を行うための各種の操作キーや、ポインティングデバイスを有している。表示部７３は、例えば液晶ディスプレイ等であり、後述する電子レシート情報等の各種情報を表示する。なお、表示部７３をタッチパネル構成としてもよく、この場合、タッチパネルは操作部７２として機能する。
【００５７】
また、制御部７１は、バス７６を介して通信Ｉ／Ｆ７４に接続されており、この通信Ｉ／Ｆ７４を介してネットワークＮ５に接続することが可能となっている。なお、通信Ｉ／Ｆ７４を介して、店舗内ネットワークＮ１に接続可能な構成としてもよい。
【００５８】
また、制御部７１は、バス７６を介して、記憶部７５に接続されている。記憶部７５は、Ｗｅｂ上に公開されている各種情報（コンテンツ）を閲覧するためのＷｅｂブラウザの他、電子レシート管理サーバ４から電子レシート情報を受け取るための電子レシート対応プログラム７５ａと、受け取ったレシート情報を閲覧するための電子レシート閲覧プログラム７５ｂと、電子レシート情報を送信する携帯端末７を特定するためのＳＲＩＤを記憶するＳＲＩＤ記憶部７５ｃを備えている。ＳＲＩＤ記憶部７５ｃに記憶されたＳＲＩＤは、表示部７３に、コードシンボルで表示される。ＰＯＳ端末１は、コード読取部１５を用いて、表示部７３に表示されたコードシンボルを読み取って、ＳＲＩＤを入力する。
【００５９】
なお、ＳＲＩＤは、コードシンボルとして読み取られる他に、ＰＯＳ端末１によって磁気的あるいは電気的に読み取られてもいい。また、携帯端末７以外の、例えば会員カード等からＳＲＩＤを読み取ってもいい。また、ＳＲＩＤ以外の顧客を特定する顧客ＩＤを読み取ってもいい。この場合、読み取った顧客ＩＤに基づいて、対応して電子レシート管理サーバ４に記憶されているＳＲＩＤを取得する。
【００６０】
また、携帯端末７はバス７６を介してＧＰＳ部７７を備えている。ＧＰＳとは、上空にある数個の衛星からの信号をＧＰＳ受信機で受け取り、受信者が自身の現在位置を知る位置測位システムである。ＧＰＳ部７７はＧＰＳ受信機であり、複数のＧＰＳ衛星８から発信された信号を受信して携帯端末７の位置を特定する。
【００６１】
次に、図８〜図１３を用いて、本実施形態の各部が実行する制御処理について説明する。
【００６２】
まず、ＰＯＳ端末１の制御部１１が制御プログラム１７ａに従って実行される制御処理について、図８のフローチャートを用いて説明する。
【００６３】
図８において、ＰＯＳ端末１の制御部１１は、コード読取部１５により、携帯端末７に記憶されているＳＲＩＤが入力されたか否かを判断する（ステップＳ１１）。入力されたと判断した場合は（ステップＳ１１のＹｅｓ）、制御部１１は、入力されたＳＲＩＤを、制御部１１のＲＡＭ内に設けられたＳＲＩＤ記憶部（図示せず）に記憶する（ステップＳ１２）。そして制御部１１は、ステップＳ１１に戻って待機する。
【００６４】
また、携帯端末７に記憶されているＳＲＩＤが入力されていないと判断した場合は（ステップＳ１１のＮｏ）、制御部１１は、コード読取部１５により、商品に付されたコードシンボルが読み取られて商品コードが入力されたか否かを判定する（ステップＳ２１）。商品コードが入力されたと判定すると（ステップＳ２１のＹｅｓ）、制御部１１は、当該商品コードに基づく商品登録処理を実行する（ステップＳ２２）。そして制御部１１は、ステップＳ１１に戻って待機する。
【００６５】
商品登録処理とは、入力された商品コードに基づいて、記憶部１７に記憶された商品マスタ（図示せず）を検索し、入力された商品コードに対応して商品マスタに記憶されている商品情報（商品名、単価、属性情報等）を読み出して、ＲＡＭまたは記憶部１７に設けられた商品情報部（図示せず）に記憶することである。
【００６６】
商品コードが入力されていないと判断した場合は（ステップＳ２１のＮｏ）、制御部１１は、締めキー１２１が操作されたか否かを判断する（ステップＳ３１）。操作されたと判断した場合は（ステップＳ３１のＹｅｓ）、制御部１１は、当該取引の決済処理を実行する（ステップＳ３２）。決済処理とは、商品情報部に記憶された商品情報に基づいて、合計金額を算出して表示部１４に表示し、各種メディアでの支払いに基づいて当該取引を終了する処理をいう。そして制御部１１は、当該取引に係る決済情報に基づいて、レシート用紙に印字するためのレシート情報を生成する（ステップＳ３３）。なお、上記ＳＲＩＤ記憶部７５ｃにＳＲＩＤが記憶されている場合は、ステップＳ３３において、当該ＳＲＩＤを取込んでレシート情報を生成する。
【００６７】
次に制御部１１は、レシート情報に基づいて電子レシート情報を生成するか否かを判断する（ステップＳ３４）。生成されたレシート情報にＳＲＩＤが含まれている場合は、制御部１１が電子レシート情報を生成すると判断する。
【００６８】
電子レシート情報を生成すると判断した場合は（ステップＳ３４のＹｅｓ）、制御部１１は、電子レシート生成プログラム１７ｂを駆動して、ステップＳ３３で生成したレシート情報に基づいて電子レシート情報を生成する（ステップＳ３５）。生成した電子レシート情報には、ＳＲＩＤおよびＰＯＳ端末１が設置された店舗Ｐ１の店舗コードが含まれる。そして制御部１１は、生成したＳＲＩＤと店舗コードとを含む電子レシート情報を電子レシートサーバ３に送信する（ステップＳ３６）。そして制御部１１は処理を終了する。
【００６９】
一方、レシート情報に基づいて電子レシート情報を生成しない（すなわち、ステップＳ３３で生成したレシート情報にＳＲＩＤが含まれていない）と判断した場合は（ステップＳ３４のＮｏ）、制御部１１は、印字部１３を駆動させ、ステップＳ３３で生成したレシート情報に基づいた印字を行い、紙のレシートを発行する（ステップＳ３７）。そして制御部１１は処理を終了する。なお、ステップＳ３１において、締めキー１２１が操作されていないと判断した場合は（ステップＳ３１のＮｏ）、制御部１１は、ステップＳ１１に戻って待機する。
【００７０】
次に、電子レシートサーバ３の制御部３１が、制御プログラム３３ｂに従って動作することにより実行される電子レシート管理処理の流れを、図９に示すフローチャートを参照しつつ説明する。
【００７１】
電子レシートサーバ３の制御部３１は、ＰＯＳ端末１からステップＳ３６で送信された電子レシート情報を通信Ｉ／Ｆ３２を介して受信したか否かを判断する（ステップＳ４１）。受信したと判断した場合（ステップＳ４１のＹｅｓ）、記憶部３３の電子レシート管理領域３３ａに企業毎の電子レシート情報として記憶する（ステップＳ４２）。そして、制御部３１は、ステップＳ４２で記憶した電子レシート情報を電子レシート管理サーバ４に送信し（ステップＳ４３）、ステップＳ４１に戻る。
【００７２】
また、電子レシート情報を受信していないと判断した場合は（ステップＳ４１のＮｏ）、制御部３１は、ストアサーバ２またはＰＯＳ端末１から付加情報を受信したか否かを判断する（ステップＳ４４）。付加情報を受信したと判断した場合は（ステップＳ４４のＹｅｓ）、制御部３１は、付加情報記憶部３３ｃに受信した付加情報を記憶する（ステップＳ４５）。付加情報は、店舗を特定する店舗コード毎に記憶される。そして記憶した付加情報を電子レシート管理サーバ４に送信する（ステップＳ４６）。そして制御部３１は、ステップＳ４１に戻って待機する。
【００７３】
また、制御部３１は、ストアサーバ２およびＰＯＳ端末１のいずれからも付加情報を受信していないと判断した場合は（ステップＳ４４のＮｏ）、制御部３１は、予め設定された送信タイミングになったか否かを判断する（ステップＳ４７）。送信タイミングになったと判断した場合（ステップＳ４７のＹｅｓ）、制御部３１は、電子レシート管理領域３３ａに記憶して管理されている電子レシート情報および付加情報記憶部３３ｃに記憶されている付加情報を電子レシート管理サーバ４に送信し（ステップＳ４８）、ステップＳ４１に戻る。このステップＳ４８の送信により、例えばステップＳ４３で送信の対象から漏れた電子レシート情報を、電子レシート管理サーバ４に送信することができる。また、ステップＳ４６で送信の対象から漏れた付加情報を、電子レシート管理サーバ４に送信することができる。
【００７４】
また、ステップＳ４７において、予め設定された送信タイミングになっていないと判断した場合は（ステップＳ４７のＮｏ）、制御部３１は、ステップＳ４１に戻って待機する。
【００７５】
次に、電子レシート管理サーバ４の制御部４１が、制御プログラム４３ｃに従って動作することにより実行される電子レシート制御処理を、図１０に示す機能ブロック図及び図１１に示すフローチャートを参照しつつ説明する。
【００７６】
図１０に示すように、電子レシート管理サーバ４で実行される制御プログラム４３ｃは、電子レシート情報記憶手段４１１、付加情報記憶手段４１２、送信手段４１３、位置特定手段４１４を含むモジュール構成となっている。実際のハードウェアとしては制御部４１のＣＰＵが、記憶部４３から制御プログラム４３ｃを読み出して実行することにより電子レシート情報記憶手段４１１、付加情報記憶手段４１２、送信手段４１３、位置特定手段４１４が実行される。
【００７７】
電子レシート情報記憶手段４１１は、商品の販売に係るレシート情報を電子化した電子レシート情報を記憶する機能を有する。
【００７８】
付加情報記憶手段４１２は、電子レシート情報に対する付加情報を顧客が携帯する携帯端末７への配信条件に対応して複数記憶する機能を有する。
【００７９】
送信手段４１３は、複数の付加情報から携帯端末７への配信条件を満たす付加情報を電子レシート情報とともに携帯端末７に送信する機能を有する。
【００８０】
位置特定手段４１４は、外部から受信したＧＰＳ情報に基づいて携帯端末７の存在位置を特定する機能を有する。
【００８１】
図１１は、電子レシート管理サーバ４の制御処理を示すフローチャートである。図１１において、制御部４１は、電子レシートサーバ３から電子レシート情報を受信したか否かを判断する（ステップＳ５１）。電子レシート情報を受信したと判断した場合は（ステップＳ５１のＹｅｓ）、制御部４１（電子レシート情報記憶手段４１１）は、ＳＲＩＤと店舗コードを含む電子レシート情報を電子レシート管理領域４３ａに記憶する（ステップＳ５２）。そして制御部４１は、受信した電子レシート情報に含まれるＳＲＩＤに対応して顧客管理領域４３ｄに記憶されている、当該ＳＲＩＤで特定される携帯端末７のアドレス等に対して、電子レシート管理サーバ４が電子レシート情報を受信しており、携帯端末７で電子レシート情報を閲覧可能であることを示す通知を送信する（ステップＳ５３）。そして制御部４１は、ステップＳ５１に戻って待機する。
【００８２】
また、電子レシートサーバ３から電子レシート情報を受信していないと判断した場合は（ステップＳ５１のＮｏ）、制御部４１は、ステップＳ４６またはステップＳ４８で送信された付加情報を受信したか否かを判断する（ステップＳ６１）。付加情報を受信したと判断した場合は（ステップＳ６１のＹｅｓ）、制御部４１（付加情報記憶手段４１２）は、受信した付加情報を付加情報記憶領域４３ｂに記憶する（ステップＳ６２）。そして制御部４１は、ステップＳ５１に戻って待機する。
【００８３】
また、付加情報を受信していないと判断した場合は（ステップＳ６１のＮｏ）、制御部４１は、携帯端末７から電子レシート情報の照会があったか否かを判断する（ステップＳ７１）。電子レシート情報の照会は、ステップＳ５３の通知を受信した携帯端末７を操作することで実行される（詳細は図１２を用いて後述する）。
【００８４】
電子レシート情報の照会があったと判断した場合は（ステップＳ７１のＹｅｓ）、制御部４１は、照会があった電子レシート情報を、電子レシート管理領域４３ａから抽出する（ステップＳ７２）。そして制御部４１（位置特定手段４１４）は、抽出した電子レシート情報に含まれるＳＲＩＤおよび店舗コードに基づいて、当該ＳＲＩＤで特定される携帯端末７の現在の位置を調査して特定する（ステップＳ７３）。
【００８５】
具体的には、制御部４１は、携帯端末７から定期的に送信されているＳＲＩＤおよび位置情報を受信し、受信したＳＲＩＤのうち、ステップＳ７２で抽出されたＳＲＩＤと同一のＳＲＩＤで特定される携帯端末７の位置情報に基づいて、携帯端末７の位置を特定する。
【００８６】
そして制御部４１は、得られた携帯端末７の位置情報と、上記抽出された店舗コードとに基づいて、携帯端末７が、照会された電子レシートが生成された店舗Ｐ１内に位置しているか否かを判断する（ステップＳ７４）。得られた携帯端末７の位置情報が、抽出された店舗コードで特定される店舗Ｐ１内である場合は、制御部４１は、携帯端末７が照会された電子レシートが生成された店舗Ｐ１内に位置していると判断する。
【００８７】
携帯端末７が、照会された電子レシートが生成された店舗Ｐ１内に位置していると判断した場合は（ステップＳ７４のＹｅｓ）、制御部４１は、電子レシート管理領域４３ａに記憶された電子レシート情報のうち、ＳＲＩＤで特定される電子レシート情報について、付加情報記憶領域４３ｂに記憶された付加情報を抽出する（ステップＳ７５）。
【００８８】
具体的には、制御部４１は、付加情報記憶領域４３ｂに記憶された店舗毎の各種情報のうち、上記店舗コードで特定される店舗を店舗部４３ｂ１から抽出し、該当する特売情報部４３ｂ２に記憶された当該店舗の特売情報と、該当する新商品情報部４３ｂ３に記憶された当該店舗の新商品情報と、該当するクーポン情報部４３ｂ４に記憶された上述の特売情報や新商品情報の商品に適用可能なクーポン情報を、抽出する。
【００８９】
なお、抽出する特売情報、新商品情報、クーポン情報は、特売情報部４３ｂ２に記憶された当該店舗のすべての特売情報と新商品情報部４３ｂ３に記憶された当該店舗のすべての新商品情報とクーポン情報部４３ｂ４に記憶されたすべてのクーポン情報のうち、当該電子レシート情報に含まれる購入した商品に関連する商品の各情報のみを抽出するようにしてもよい。また、店舗が特に宣伝したい商品の各情報のみを抽出するようにしてもよい。その他、店舗で販売する商品に関する各情報であれば、各種条件で抽出可能である。
【００９０】
次に制御部４１は、照会された電子レシート情報にステップＳ７５で抽出した付加情報を付加する（ステップＳ７６）。そして制御部４１（送信手段４１３）は、付加情報が付加された電子レシート情報を該当するＳＲＩＤで特定される携帯端末７に送信する（ステップＳ７７）。
【００９１】
一方、ステップＳ７３で調査した結果、携帯端末７が、照会された電子レシートが生成された店舗Ｐ１内に位置していない（すなわち当該店舗Ｐ１の外に位置している）と判断した場合は（ステップＳ７４のＮｏ）、制御部４１は、ステップＳ７３で調査した携帯端末７の位置の近くに系列他店舗が存在するか否かを判断する（ステップＳ８１）。制御部４１は、ステップＳ７３で調査した携帯端末７の位置が、系列他店舗から所定範囲内（例えば１キロメートル以内）の距離であれば、携帯端末７の位置の近くに系列他店舗が存在すると判断する。
【００９２】
系列他店舗が近くに存在すると判断した場合は（ステップＳ８１のＹｅｓ）、制御部４１は、該当する店舗の店舗コードを取得し、付加情報記憶領域４３ｂに記憶された特売情報、新商品情報、クーポン情報のうち、取得した店舗コードに該当する店舗の各情報を抽出する（ステップＳ８２）。そして制御部４１は、ステップＳ７６以降を実行する。
【００９３】
また、系列他店舗が近くに存在しないと判断した場合は（ステップＳ８１のＮｏ）、制御部４１は、顧客管理領域４３ｄを検索し、当該ＳＲＩＤで特定される携帯端末７の顧客の過去の購入履歴情報を抽出し、過去に多く購入している商品や一定期間毎に購入している商品等の商品情報やこれに関するクーポン情報を抽出する（ステップＳ８３）。そして制御部４１は、ステップＳ７６以降を実行する。
【００９４】
次に、携帯端末７の制御部７１が、電子レシート対応プログラム７５ａに従って動作することにより実行される電子レシート受け取り処理及び電子レシート閲覧プログラム７５ｂに従って動作することにより実行される電子レシート閲覧処理の流れを、図１２および図１３を参照しつつ説明する。
【００９５】
図１２に示すように、制御部７１は、電子レシート管理サーバ４から、電子レシート情報受信の通知を受信したか否かを判断する（ステップＳ９１）。受信したと判断した場合は（ステップＳ９１のＹｅｓ）、制御部７１は、受信した通知を表示部７３に表示する（ステップＳ９２）。
【００９６】
電子レシート情報受信の通知を受信していないと判断した場合は（ステップＳ９１のＮｏ）、制御部７１は、電子レシート情報の照会が操作されたか否かを判断する（ステップＳ９３）。上記通知を見た携帯端末７の操作者は、電子レシート情報の照会情報を送信するために操作部７２を操作する。操作されたと判断した場合は（ステップＳ９３のＹｅｓ）、制御部７１は、照会情報を電子レシート管理サーバ４に送信する（ステップＳ９４）。照会を受信した電子レシート管理サーバ４は、図１１のステップＳ７１〜ステップＳ８３の処理を実行して電子レシート情報および付加情報を携帯端末７に送信する。
【００９７】
一方、電子レシート情報の照会が操作されていないと判断した場合は（ステップＳ９３のＮｏ）、制御部７１は、電子レシート管理サーバ４から、電子レシート情報および付加情報を受信したか否かを判断する（ステップＳ９５）。電子レシート情報および付加情報を受信したと判断した場合は（ステップＳ９５のＹｅｓ）、制御部７１は、受信した電子レシート情報および付加情報を表示部７３に表示する（ステップＳ９６）。なお、電子レシート情報のみを受信した場合は、制御部７１は、当該電子レシート情報を表示する。
【００９８】
ここで、図１３に、ステップＳ８６で表示した電子レシート情報および付加情報の一例を示す。図１３の例は、一例として、電子レシート情報と、ステップＳ７４において携帯端末７が店舗内に存在すると判断した場合にステップＳ７５で抽出された付加情報を表示している。図１３において、制御部７１は、携帯端末７の表示部７３に、電子レシート情報Ｄと付加情報Ｆを表示する。制御部７１は、電子レシート情報Ｄとして、商品を購入した店舗の店名と店名ロゴＤ１、商品を購入した日時Ｄ２、商品名や商品の価格等の商品情報Ｄ３、合計金額や釣銭等の決済情報Ｄ４等を表示する。
【００９９】
また、制御部７１は、付加情報Ｆとして、店内で特売を実施している商品の特売商品情報Ｆ１、特売商品情報Ｆ１に対応して設定されている、当該特売商品の購入時に使用可能なクーポンを示すクーポン情報Ｆ２を表示する。特売商品情報Ｆ１は、電子レシート情報として表示されている商品情報Ｄ３と関連する特売商品である。
【０１００】
図１２の説明に戻る。制御部７１が電子レシート情報および付加情報を受信していないと判断した場合は（ステップＳ９５のＮｏ）、制御部７１は、表示されたクーポン情報Ｆ２をタッチして操作することで、クーポンが操作されたか否かを判断する（ステップＳ９７）。
【０１０１】
クーポンが操作されたと判断した場合（ステップＳ９７のＹｅｓ）、制御部７１は表示部７３に、操作されたクーポン情報を大きく表示する（ステップＳ９８）。クーポン情報Ｆ２をタッチすると、当該特売商品のクーポンが大きく詳細に表示されるため、携帯端末７の操作者は、表示された特売商品を購入する場合、当該クーポンを大きく表示して店員に見せることで、当該クーポンを使用して特売商品を購入することができる。
【０１０２】
また、クーポンが操作されていないと判断した場合は（ステップＳ９７のＮｏ）、制御部７１は、ＧＰＳ部７７から受信したＧＰＳ信号に基づいて携帯端末７が現在存在する位置情報を生成する（ステップＳ９９）。そして制御部７１は、生成した位置情報を、ネットワークＮ５を介して電子レシート管理サーバ４に送信する（ステップＳ１００）。
【０１０３】
このような実施形態によれば、電子レシート管理サーバ４は、携帯端末７が店舗内に存在するか、他の系列店舗の近くに存在するか、しないかを判断し、携帯端末７が店舗内にいる場合には当該店舗の付加情報を送信し、携帯端末７が他の系列店舗の近くに存在する場合は当該店舗の付加情報を送信し、それ以外は過去の購入履歴を参照して付加情報を送信するため、携帯端末７の存在する場所、すなわち携帯端末７を携帯する顧客が存在する場所に応じて最適な付加情報を送信することができる。
【０１０４】
以上、本発明の実施形態を説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更、組み合わせを行うことができる。これら実施形態やその変形は、発明の範囲や要旨に含まれるとともに、特許請求の範囲に記載された発明とその均等の範囲に含まれる。
【０１０５】
例えば、上記実施形態では、ＧＰＳ機能を使用して携帯端末７の位置を特定したが、例えば携帯電話の基地局を用いて携帯端末７の位置を特定する等、他の手段で携帯端末７の位置を特定するようにしてもよい。
【０１０６】
また、上記実施形態では、付加情報として、特売商品情報、新商品情報、クーポン情報としたが、商品に関する他の情報であってもよい。
【０１０７】
また、実施形態では、携帯端末７の位置情報に基づいて送信する付加情報の種類を変更したが、位置情報以外の情報（例えば商品を購入してからの経過時間）に基づいて送信する付加情報を変更してもよい。
【０１０８】
なお、実施形態の電子レシート管理サーバで実行されるプログラムは、インストール可能な形式または実行可能な形式のファイルでＣＤ−ＲＯＭ、フレキシブルディスク（FD）、ＣＤ−Ｒ、ＤＶＤ（Digital  Versatile  Disk）等のコンピュータで読み取り可能な記録媒体に記録されて提供される。
【０１０９】
また、実施形態の電子レシート管理サーバで実行されるプログラムを、インターネット等のネットワークに接続されたコンピュータ上に格納し、ネットワーク経由でダウンロードさせることにより提供するように構成しても良い。また、実施形態の電子レシート管理サーバで実行されるプログラムをインターネット等のネットワーク経由で提供または配布するように構成しても良い。
【０１１０】
また、実施形態の電子レシート管理サーバで実行されるプログラムを、ＲＯＭ等に予め組み込んで提供するように構成してもよい。
【符号の説明】
【０１１１】
１  ＰＯＳ端末
３  電子レシートサーバ
４  電子レシート管理サーバ
７  携帯端末
１１  制御部
３１  制御部
４１  制御部
４３  記憶部
４３ａ  電子レシート管理領域
４３ｂ  付加情報記憶領域
７１  制御部
４１１  電子レシート情報記憶手段
４１２  付加情報記憶手段
４１３  送信手段
４１４  位置特定手段
【先行技術文献】
【特許文献】
【０１１２】
【特許文献１】特開２０１２−１８５６６４号公報
【図１】
2015225532.tif 000003
【図２】
2015225532.tif 000004
【図３】
2015225532.tif 000005
【図４】
2015225532.tif 000006
【図５】
2015225532.tif 000007
【図６】
2015225532.tif 000008
【図７】
2015225532.tif 000009
【図８】
2015225532.tif 000010
【図９】
2015225532.tif 000011
【図１０】
2015225532.tif 000012
【図１１】
2015225532.tif 000013
【図１２】
2015225532.tif 000014
【図１３】
2015225532.tif 000015